(57)【要約】【課題】誘導溝による遊技球の誘導の安定性を高めることが可能な遊技機を提供すること。【解決手段】遊技球が転動するステージ面１１が形成されたステージ部材１０を備えた遊技機であって、前記ステージ部材１０には、前記ステージ面１１に所定の入賞口に向かって延びるように設けられた、遊技球が嵌り込むことが可能な誘導溝１２と、前記ステージ面１１における前記誘導溝１２の下流側かつ当該誘導溝１２の幅方向外側誘導突起２０と、前記ステージ面における前記誘導溝１２の下流側かつ当該誘導溝１２の幅方向外側において上方に向かって突出するように設けられた誘導突起２０と、が形成されている遊技機１とする。【選択図】図３
2019058475.tif 000002
【特許請求の範囲】
【請求項１】
遊技球が転動するステージ面が形成されたステージ部材を備えた遊技機であって、
前記ステージ部材には、
前記ステージ面に所定の入賞口に向かって延びるように設けられた、遊技球が嵌り込むことが可能な誘導溝と、
前記ステージ面における前記誘導溝の下流側かつ当該誘導溝の幅方向外側において上方に向かって突出するように設けられた誘導突起と、
が形成されていることを特徴とする遊技機。
【発明の詳細な説明】
【技術分野】
【０００１】
本発明は、遊技機に関する。
【背景技術】
【０００２】
多くの遊技機には、遊技球が転動する「ステージ」と称される部材が設けられる。当該ステージの中央に、遊技球を誘導する誘導溝が形成されたものが一般的なものとして知られている（例えば、下記特許文献１参照）。誘導溝に嵌まり込んだ遊技球は、所定の入賞口等の対象物（誘導対象）に向かって誘導される。
【先行技術文献】
【特許文献】
【０００３】
【特許文献１】特開２００２−２６３２７４号公報
【発明の概要】
【発明が解決しようとする課題】
【０００４】
一旦嵌まり込んだ遊技球が誘導溝から出てしまったり、誘導対象まで遊技球が到達しなかったりするような事象が発生してしまうと、遊技者が苛立ってしまうおそれがあるから、誘導溝による遊技球の誘導の安定性を高めることが求められる。
【０００５】
本発明が解決しようとする課題は、誘導溝による遊技球の誘導の安定性を高めることが可能な遊技機を提供することにある。
【課題を解決するための手段】
【０００６】
上記課題を解決するためになされた本発明にかかる遊技機は、遊技球が転動するステージ面が形成されたステージ部材を備えた遊技機であって、前記ステージ部材には、前記ステージ面に所定の入賞口に向かって延びるように設けられた、遊技球が嵌り込むことが可能な誘導溝と、前記ステージ面における前記誘導溝の下流側かつ当該誘導溝の幅方向外側に形成された突起であって当該誘導溝の幅方向両側縁よりも上方に位置する上端面を有する誘導突起と、が形成されていることを特徴とする。
【発明の効果】
【０００７】
本発明にかかる遊技機によれば、誘導溝による遊技球の誘導の安定性を高めることが可能である。
【図面の簡単な説明】
【０００８】
【図１】遊技機の全体を示した概略図である。
【図２】遊技盤および表示装置の正面図である。
【図３】ステージ部材を簡略化して示した図であって、（ａ）は正面図（前方から見た図）、（ｂ）は平面図（上方から見た図）、（ｃ）は側面図（右方から見た図）である。
【図４】ステージ部材の作用を説明するための図（その一）である。
【図５】ステージ部材の作用を説明するための図（その二）である。
【図６】第一具体例を説明するための図である。
【図７】第二具体例を説明するための図である。
【図８】第三具体例を説明するための図である。
【図９】第四具体例を説明するための図である。
【発明を実施するための形態】
【０００９】
以下、本発明にかかる遊技機１の一実施形態について図面を参照して詳細に説明する。まず、図１を参照して遊技機１の全体構成について簡単に説明する。
【００１０】
遊技機１は遊技盤９０を備える。遊技盤９０は、ほぼ正方形の合板により成形されており、発射装置９０８（発射ハンドル）の操作によって発射された遊技球を遊技領域９０２に案内する通路を構成するガイドレール９０３が略円弧形状となるように設けられている。
【００１１】
遊技領域９０２には、表示装置９１、始動入賞口９０４、大入賞口１０、アウト口などが設けられている。かかる表示装置９１の表示領域９１１は、遊技盤９０に形成された開口９０１を通じて視認可能となる領域である。なお、表示領域９１１の形状等は適宜変更可能である（開口９０１の形状や大きさ、表示装置９１自体の形状や大きさを変更することで表示領域９１１の形状等を変更することができる）。
【００１２】
また、遊技領域９０２には、流下する遊技球が衝突することにより遊技球の流下態様に変化を与える障害物としての遊技釘が複数設けられている。遊技領域９０２を流下する遊技球は、遊技釘に衝突したときの条件に応じて様々な態様に変化する。
【００１３】
このような遊技機１では、発射装置９０８を操作することにより遊技領域９０２に向けて遊技球を発射する。遊技領域９０２を流下する遊技球が、始動入賞口９０４や大入賞口１０等の入賞口に入賞すると、所定の数の賞球が払出装置により払い出される。
【００１４】
大当たりの抽選は、図示されない制御基板に設けられた当否判定手段が始動入賞口９０４への遊技球の入賞を契機として実行する（このような始動入賞口は複数設けられていてもよい）。具体的には、始動入賞口９０４への遊技球の入賞を契機として乱数源から数値（以下、当否判定情報と称することもある）が取得され、当該数値が予め定められた大当たりの数値と同じである場合には大当たりとなり、異なる場合にははずれとなる。
【００１５】
本実施形態では、公知の遊技機と同様に、表示装置９１の表示領域９１１に表示される装飾図柄５０（図１等参照）の組み合わせによって当否判定結果を遊技者に報知する。装飾図柄５０は、当否判定結果の報知の開始とともに変動を開始する。大当たりに当選している場合には装飾図柄５０は最終的に所定の組み合わせ（例えば、同じ装飾図柄５０の三つ揃い）で停止する。はずれである場合には装飾図柄５０は最終的にそれ以外（大当たりとなる組み合わせ以外）の組み合わせで停止する。
【００１６】
なお、遊技機１の枠体、遊技球を貯留する下皿や上皿など、本発明に関係のない遊技機１の構成要素は説明を省略する。これらについては公知の遊技機と同様の構造のものが適用できる。
【００１７】
以下、本実施形態にかかる遊技機１が備えるステージ部材１０について、図２〜図５を参照しつつ詳細に説明する。なお、以下の説明における横方向（左右方向・幅方向）とは図示されるＸ軸方向を、前後方向（遊技者側を前とする）とは図示されるＹ方向を、高さ方向とは図示されるＺ軸方向をいうものとする。
【００１８】
ステージ部材１０は、正面視で遊技領域の下方に位置するように、遊技盤９０に固定された部材である（図２参照）。だだし、遊技盤９０と一体的に形成された部材としてもよい。ステージ部材１０は、遊技盤９０の表面（遊技釘等が固定される面）よりも前方に向かって突出するように固定されたものであり、その上面に形成されたステージ面１１を有する。ステージ面１１は、大まかにみて、上下・左右方向に広がる面であるといえる。つまり、遊技球が乗り上げることが可能な面であるといえる。
【００１９】
ステージ面１１自体の形状はどのようなものであってもよい。本実施形態では、公知の遊技機と同様に、ステージ面１１に乗り上げた遊技球が左右に往復移動（揺動）し、左右方向の移動量が低下しつつ、次第に手前側に移動して、最終的にはステージから落下する、というような遊技球の動作態様となるものとされる。また、ステージ面１１に遊技球が乗り上げるルート（乗り上げルート）はどのようなものであってもよい。遊技領域の一部にステージ面１１に繋がる通路４０（いわゆるワープ；図２参照）が形成された構成としてもよいし、このような通路を通らず、遊技釘に弾かれた遊技球がステージ面１１に乗り上げる可能性がある設定としてもよい。
【００２０】
当該ステージ面１１には、左右方向に対して略直交するように設けられた誘導溝１２が形成されている（図２、図３参照）。本実施形態では、ステージ面１１の略幅方向中央に誘導溝１２が形成されている（図３（ａ）（ｂ）参照）。当該誘導溝１２は、奥（後）から手前にかけて下方に位置するように傾斜した溝である。つまり、当該誘導溝１２に嵌まり込んだ遊技球は、奥から手前に向かうように誘導される。なお、以下の説明においては、奥を上流（側）、手前を下流（側）と称することもある。誘導溝１２の幅は、一の遊技球が嵌まり込むことが可能な大きさである。つまり、誘導溝１２内において、幅方向に複数の遊技球が並ぶことはない（ただし、前後に並ぶことはある）。
【００２１】
誘導溝１２の出口（下流端）の下方には、始動入賞口９０４が位置する（図２、図３（ａ）（ｂ）参照）。つまり、誘導溝１２は、遊技球を始動入賞口９０４に向けて誘導するものであるといえ、当該誘導溝１２に遊技球が嵌り込んだとき、遊技者は始動入賞口９０４への遊技球の入賞に期待することになる。なお、誘導溝１２によって誘導された遊技球が向かう対象となるものは、始動入賞口９０４に限られず、どのようなものであってもよい。誘導溝１２に誘導される方向に向かって遊技球が移動することで、遊技者に何らかの利益（始動入賞口９０４の場合は、大当たり抽選の実行や、いわゆる賞球が得られるという「利益」）が将来する蓋然性が高まるように設定されていればよい。
【００２２】
本実施形態では、上記誘導溝１２による遊技球の誘導の安定性を向上させる（誘導をサポートする）ために誘導突起２０が設けられている。誘導突起２０は、ステージ面１１における誘導溝１２の下流側（誘導溝１２を前後方向に二分した前側をいう）の幅方向両側から略上方に向かって突出するように設けられている（図３参照）。本実施形態における誘導突起２０は、誘導溝１２の下流側末端の幅方向両側に設けられている（図３（ｂ）（ｃ）参照）。換言すれば、誘導突起２０の前端面は、誘導溝１２の下流側端縁と前後方向における位置が略一致するということである。
【００２３】
誘導溝１２を真っすぐ遊技球が流下すれば、そのまま遊技球は始動入賞口９０４に入賞する（他の遊技球に衝突したような場合を除く）。しかし、多くの遊技球は、ステージ面１１にて左右方向に揺れながら誘導溝１２に嵌まり込むことになるから、その力が残存している場合には真っすぐ流下せずに、遊技球が始動入賞口９０４に入賞しない可能性がある。本実施形態では、誘導溝１２の下流側に上記のような誘導突起２０が設けられているため、誘導溝１２内において左右方向に揺れる遊技球は当該誘導突起２０に接触してその揺れが抑制される。つまり、始動入賞口９０４の方向（設計上の狙いの方向）に遊技球が誘導されやすくなる。すなわち、誘導溝１２による遊技球の誘導の安定性を向上させることが可能となる。
【００２４】
本実施形態における誘導突起２０は、第一の部分２１と第二の部分２２を含む。第一の部分２１と第二の部分２２は、前後方向に並ぶように設けられている（図３（ｂ）（ｃ）参照）。本実施形態では、両者は一体的に（隙間なく）形成されているが、第一の部分２１と第二の部分２２の間に隙間が存在するような設定としてもよい。第二の部分２２は、第一の部分２１よりも上流側に位置する。第一の部分２１の前端面は、誘導突起２０全体での前端面であるから、第一の部分２１の前端面は、誘導溝１２の下流側端縁と前後方向における位置が一致する。
【００２５】
第二の部分２２は、第一の部分２１よりも突出長さ（上下方向における長さ）が小さい（図３（ｂ）（ｃ）参照）。第二の部分２２の上端面は、第一の部分２１の上端面よりも低い位置に位置するということでもある。第一の部分２１と第二の部分２２全体でみると、誘導突起２０は前後方向に段差（前方よりも後方が低い段差）を有する突起であるということになる。
【００２６】
このように構成することで、前後方向における誘導突起２０の長さが長くなるから、誘導溝１２による遊技球の誘導の安定性をさらに向上させることが可能となる。また、第二の部分２２は第一の部分２１よりも突出長さが小さいから、ステージ面１１における誘導溝１２の外側で転動する遊技球が第二の部分２２に乗り上げる（図４（ａ）参照）、第二の部分２２に接触する（第二の部分２２がガイドとして機能する）（図４（ｂ）参照）等して、誘導溝１２に嵌まり込むような遊技球の振る舞いが発生する可能性もある。つまり、例えば仮に誘導突起２０の全体の高さが第一の部分２１の高さであるとすると、誘導溝１２に向かう遊技球の障害物としての誘導突起２０の作用が大きくなるところ、本実施形態では後方の第二の部分２２が第一の部分２１に比して突出長さが小さいため、当該第二の部分２２に乗り上げる等して遊技球が誘導溝１２に嵌り込む蓋然性が高くなる。すなわち、本実施形態における誘導突起２０の形状（第二の部分２２）は、一旦誘導溝１２に嵌まり込んだ遊技球が安定して誘導されることと、誘導溝１２外の遊技球が誘導溝１２に嵌まり込む蓋然性を著しく低くしないようにすることを両立するものであるといえる。
【００２７】
また、第二の部分２２は、第一の部分２１よりも誘導溝１２に近い位置に設けられている（図３（ｂ）参照）。具体的には、第二の部分２２の誘導溝１２側の端面（幅方向内側の端面；以下、第二内側端面２２１と称することもある）は、第一の部分２１の誘導溝１２側の端面（幅方向内側の端面；以下、第一内側端面２１１と称することもある）よりも近い位置に設けられている。本実施形態では、第二内側端面２２１の下端縁は、誘導溝１２の側縁（誘導溝１２の開口縁；幅方向外側の縁）と略一致する。換言すれば、誘導溝１２側縁を真っすぐ上方に延ばした面と、第二内側端面２２１が略一致するということである。
【００２８】
このようにすることで、誘導溝１２内を移動する遊技球が当該誘導溝１２外に出てしまいそうになったとしても、上流側に設けられた第二の部分２２で誘導溝１２内に戻されるような事象（図５参照）が発生することになるため、誘導溝１２による遊技球の誘導の安定性を向上させることが可能となる。より具体的には、仮に、第一の部分２１（第一内側端面２１１）を誘導溝１２に近い位置に配置し、当該第一の部分２１によって遊技球が誘導溝１２内に戻されるような事象が発生したとしても、当該第一の部分２１に接触した遊技球は即座に誘導溝１２から始動入賞口９０４に向かって流下することになるため、当該第一の部分２１に接触することで逆に真っすぐ始動入賞口９０４に向かわない（すなわち始動入賞口９０４に入賞しない）おそれがある。一方、本実施形態のように、第一の部分２１よりも上流側に設けられた第二の部分２２（第二内側端面２２１）によって遊技球が誘導溝１２内に戻されるような事象が発生するようにすれば、誘導溝１２における第二の部分２２よりも下流側の部分による作用で遊技球が真っすぐ始動入賞口９０４に向かう蓋然性が高くなる。
【００２９】
以下、上記実施形態にかかる遊技機１を改良、変形、具体化等した具体例について説明する。なお、以下の各具体例を用いて説明する事項を複数適用した構成としてもよい。
【００３０】
○第一具体例
図６に示すように、誘導突起２０を、誘導溝１２の下流側から上流側にかけて、次第に突出長さが低くなるような形状を呈する部分を含むものとする。つまり、上記実施形態における誘導突起２０は、第一の部分２１とそれよりも低い第二の部分２２を有するものであること（第一の部分２１と第二の部分２２との間に段差が存在すること）を説明したが、本例における誘導突起２０のように誘導溝１２の下流側から上流側にかけて次第に低くなるように傾斜した部分を有するもの（誘導突起２０の上面２０１が傾斜したもの）としてもよい。好ましくは、誘導突起２０の全体が、下流側から上流側にかけて次第に低くなるような形状を呈するものとするとよい。つまり、誘導突起２０の下流側がそのままステージ面１１と滑らかに繋がるような態様とすることが好ましい。
【００３１】
このように構成しても、上記実施形態と同様に、誘導溝１２による遊技球の誘導の安定性を向上させることが可能となる。また、誘導突起２０は上流側の方が下流側に比して突出長さが小さいから、誘導溝１２の外側で転動する遊技球が、誘導突起２０を乗り上げる等して、誘導溝１２に嵌まり込むような遊技球の振る舞いが発生する可能性もある。つまり、誘導溝１２外の遊技球が誘導溝１２に嵌まり込む蓋然性を著しく低くしないようにすることができる。誘導突起２０の全体が、誘導溝１２の下流側から上流側にかけて次第に低くなるような形状を呈するものとした場合には、誘導突起２０の下流側がそのままステージ面１１と滑らかに繋がるような態様となるから、上記作用はさらに高まる。
【００３２】
○第二具体例
図７に示すように、誘導突起２０の誘導溝１２側（幅方向内側）の端面２０２を、誘導溝１２の下流側から上流側にかけて、次第に誘導溝１２に近づいていくような形状を呈する部分を含むものとする。つまり、上記実施形態における誘導突起２０は、第一の部分２１とそれよりも低い第二の部分２２を有し、第二内側端面２２１が第一内側端面２１１よりも誘導溝１２に近いこと（両端面間に段差が存在すること）を説明したが、本例のように誘導突起２０の誘導溝１２側の端面２０１が誘導溝１２の下流側から上流側にかけて次第に当該誘導溝１２に近づいていくように傾斜する部分を有するものとしてもよい。誘導突起２０の全体が、誘導溝１２の下流側から上流側にかけて次第に誘導溝１２に近づいていくような形状を呈するものとすることが好ましい。つまり、誘導突起２０の上流側端縁が、誘導溝１２の側縁と略一致するような形状とすることが好ましい。
【００３３】
このような構成とすることで、誘導溝１２内を移動する遊技球が当該誘導溝１２外に出てしまいそうになったとしても、誘導突起２０により誘導溝１２内に戻されるような事象が発生することになるため、誘導溝１２による遊技球の誘導の安定性を向上させることが可能となる。誘導突起２０の全体が、誘導溝１２の下流側から上流側にかけて次第に誘導溝１２に近づいていくような形状を呈するものとした場合には、上記作用はさらに高まる。
【００３４】
○第三具体例
図８に示すように、誘導溝１２が、その深さ（前後方向位置が同じ部分について、最も浅い（最も上方に位置する）箇所と最も深い（下方に位置する）箇所の差をいう）が、下流側から上流側にかけて浅くなる形状を呈する部分を含むものとする。誘導溝１２の全体がこのような形状を呈するものとしてもよい。このような誘導溝１２とした場合、上流側となるほど溝内に嵌まり込んでいる遊技球が溝内から抜け出る蓋然性が高いということになる。
【００３５】
したがって、溝内に嵌まり込んだ遊技球が抜け出てしまうことを抑制するため、上記実施形態の誘導突起２０のように第一の部分２１よりも上流側に第二の部分２２を設ける意義が大きいといえる。特に、第二の部分２２を第一の部分２１よりも誘導溝１２に近い位置に設けることで、上流側で遊技球が誘導溝１２から出てしまうことを抑制する意義が大きいといえる。また、上記第二具体例にて説明したように、上流側にいけばいくほど、誘導溝１２に近づくような形状を呈する誘導突起２０を形成する意義が大きいといえる。
【００３６】
○第四具体例
図９（ａ）に示すように、第一の部分２１の誘導溝１２とは反対側の端面（幅方向外側の端面；以下第一外側端面２１２と称することもある）が、第一の部分２１の誘導溝１２とは反対側の端面（幅方向外側の端面；以下第二外側端面２２２と称することもある）よりも誘導溝１２側（内側）に位置している形状とする。つまり、誘導突起２０全体でみれば、その上流側よりも下流側の方が、外側の端面が内側に入り込んでいる形状とする。
【００３７】
ステージ面１１の誘導突起２０が形成された部分よりも幅方向外側の部分は、誘導溝１２に嵌まり込まなかった遊技球が転動し、その前端より落下する箇所（以下、落下個所１１１と称する）となっている。つまり、ステージ面１１に乗り上げたものの、誘導溝１２による誘導作用を享受することができなかった遊技球がステージ面１１から落ちるために設けられた箇所となっている。
【００３８】
誘導溝１２に誘導されなかった遊技球は、当然、誘導溝１２に誘導された遊技球よりも始動入賞口９０４に入賞する蓋然性が低くなる。しかし、誘導溝１２に誘導されなかった遊技球がほとんど始動入賞口９０４に入賞しないような構成であると、ステージ面１１に乗り上げた遊技球については、「誘導溝１２に嵌まり込むか否かが全て」というような遊技性となってしまうため、遊技の趣向性の低下を招くおそれがある。
【００３９】
本例では、第一の部分２１の第一外側端面２１２が第二の部分２２の第二外側端面２２２よりも誘導溝１２側に位置しているため、ステージ面１１の幅方向外側から内側に向かって移動するような状態で落下個所１１１に向かう遊技球の流れが第一の部分２１（第一外側端面２１２）に衝突することによって阻害されてしまう蓋然性が低くなる。したがって、遊技球が、ステージ面１１の落下個所１１１から幅方向内側に向かって斜めに落下するような態様で始動入賞口９０４に入賞する頻度が著しく低くなるおそれを低減することが可能である。
【００４０】
また、図９（ｂ）に示すように、誘導突起２０の幅方向外側の端面２０３を、誘導溝１２の上流側から下流側にかけて、次第に誘導溝１２（内側）に近づいていくような形状を呈する部分を含むものとしてもよい。このようにすれば、図９（ａ）に示した構成と同様の作用が奏されるものとなる。
【００４１】
以上、本発明の実施の形態について詳細に説明したが、本発明は上記実施の形態に何ら限定されるものではなく、本発明の要旨を逸脱しない範囲で種々の改変が可能である。
【００４２】
上記実施形態から得られる具体的手段（遊技機）を以下に列挙する。
【００４３】
・手段１
遊技球が転動するステージ面が形成されたステージ部材を備えた遊技機であって、
前記ステージ部材には、
前記ステージ面に設けられた、遊技球が嵌り込むことが可能な誘導溝と、
前記ステージ面における前記誘導溝の下流側かつ当該誘導溝の幅方向外側において上方に向かって突出するように設けられた誘導突起と、
が形成されていることを特徴とする遊技機。
このようにすることで、狙った方向に遊技球が誘導されやすくなる。つまり、誘導溝による遊技球の誘導の安定性を向上させることが可能となる。
【００４４】
・手段２
前記誘導突起は、
第一の部分と、
前記第一の部分の上流側に並ぶように設けられた、当該第一の部分よりも突出長さが小さい第二の部分と、
を有することを特徴とする手段１に記載の遊技機。
このように構成することで、誘導溝による遊技球の誘導の安定性をさらに向上させることが可能となる。また、第二の部分は第一の部分よりも突出長さが小さいから、誘導溝の外側で転動する遊技球が第二の部分に乗り上げる等して、誘導溝に嵌まり込むような遊技球の振る舞いが発生する可能性もある。
【００４５】
・手段３
前記第一の部分の前記誘導溝側の端面よりも、前記第二の部分の前記誘導溝側の端面の方が、前記誘導溝に近い位置に設けられていることを特徴とする手段２に記載の遊技機。
第二の部分は第一の部分に比して突出長さが小さいから、一旦誘導溝に嵌まり込んだ遊技球が第二の部分を乗り越えて誘導溝外に出てしまうおそれが（第一の部分に比して）高い。したがって、このような乗り越えが発生しにくくなるよう、第二の部分は第一の部分よりも誘導溝に近い位置に設けられているとよい。
また、上記のようにすることで、誘導溝内を移動する遊技球が当該誘導溝外に出てしまいそうになったとしても、上流側に設けられた第二の部分で誘導溝内に戻されるような事象が発生することになるため、誘導溝による遊技球の誘導の安定性を向上させることが可能となる。
【００４６】
・手段４
前記第二の部分の前記誘導溝側の端面の下端縁は、前記誘導溝の側縁と略一致することを特徴とする手段３に記載の遊技機。
誘導溝による遊技球の誘導の安定性の観点から、第二の部分は、できるだけ誘導溝に近づけて配置するとよい。
【００４７】
・手段５
前記誘導突起は、前記誘導溝の下流側から上流側にかけて、次第に突出長さが小さくなるような形状を呈する部分を含むことを特徴とする手段１に記載の遊技機。
このように構成することで、誘導溝による遊技球の誘導の安定性をさらに向上させることが可能となる。また、誘導突起は上流側の方が下流側に比して突出長さが小さいから、誘導溝の外側で転動する遊技球が、誘導突起を乗り越える等して、誘導溝に嵌まり込むような遊技球の振る舞いが発生する可能性もある。
【００４８】
・手段６
前記誘導突起は、その誘導溝側の端面が、前記誘導溝の下流側から上流側にかけて、次第に前記誘導溝に近づいていくような形状を呈する部分を含むことを特徴とする手段５に記載の遊技機。
誘導突起の下流側よりも上流側の方が、突出長さが小さく設定されている場合、下流側よりも上流側の方が、一旦誘導溝に嵌まり込んだ遊技球が乗り越えて誘導溝外に出てしまうおそれが高い。したがって、このような乗り越えが発生しにくくなるよう、上流側にいけばいくほど、誘導溝に近づくような形状を呈する誘導突起とすることが好ましい。
また、上記のようにすることで、誘導溝内を移動する遊技球が当該誘導溝外に出てしまいそうになったとしても、誘導突起により誘導溝内に戻されるような事象が発生することになるため、誘導溝による遊技球の誘導の安定性を向上させることが可能となる。
【００４９】
・手段７
前記誘導溝は、下流側から上流側にかけて浅くなる形状を呈する部分を含むことを特徴とする手段２から手段６のいずれかに記載の遊技機。
誘導溝が上記のような形状であると、遊技球が上流側にあるときほど、遊技球が誘導溝から出てしまうおそれが高くなる。したがって、第一の部分よりも上流側に第二の部分を設ける意義が大きいといえる。特に、第二の部分を第一の部分よりも誘導溝に近い位置に設けることで、上流側で遊技球が誘導溝から出てしまうことを抑制する意義が大きいといえる。
また、上流側にいけばいくほど、誘導溝に近づくような形状を呈する誘導突起を形成する意義が大きいといえる。
【符号の説明】
【００５０】
１  遊技機
１０  ステージ部材
１１  ステージ面
１２  誘導溝
２０  誘導突起
２１  第一の部分
２１１  第一内側端面
２２  第二の部分
２２１  第二内側端面
９０  遊技盤
９０４  始動入賞口
【図１】
2019058475.tif 000003
【図２】
2019058475.tif 000004
【図３】
2019058475.tif 000005
【図４】
2019058475.tif 000006
【図５】
2019058475.tif 000007
【図６】
2019058475.tif 000008
【図７】
2019058475.tif 000009
【図８】
2019058475.tif 000010
【図９】
2019058475.tif 000011